(57)【特許請求の範囲】
【請求項１】
モータの回転軸と共に回転する羽根車をケーシング内の通風路中に配設してなる送風機において、
前記ケーシングの外周側面に形成した端子ブロック収納用凹部と、
前記モータに通じるリード線の先端に接続した端子と、
前記端子を収容して前記端子ブロック収納用凹部内に配設した端子ブロックと、
前記リード線と前記端子を外側から覆って前記端子ブロックと共に前記ケーシングに固定した端子カバーと、
を備え、
前記端子カバーと前記端子ブロックは、該端子カバーと該端子ブロックを貫通した状態で前記ケーシングに取り付けられる取付ねじで固定されていることを特徴とする送風機。
【請求項２】
前記端子は抜け止め用突起を有し、前記端子ブロックは該端子が前記リード線側へ引かれたときに該端子の抜け止め用突出部が突き当たって引き抜きを阻止する規制壁を設けてなる請求項１に記載の送風機。
【請求項３】
前記端子の前記リード線との接続部は前記端子ブロックの外側に設けられているとともに、該端子ブロックに前記接続部の一面に添接して該接続部の移動を規制する支持部を設けてなる請求項１又は２に記載の送風機。
【請求項４】
前記リード線と前記端子の接続部は前記端子ブロックの外側に設けられているとともに、該端子ブロックに前記接続部の三面に添接して該外接続部の移動を三方向から規制する断面コ字状をした支持部を設けてなる請求項１又は２に記載の送風機。
【発明の詳細な説明】
【技術分野】
【０００１】
本発明は送風機に関するものであり、特に、電子機器等の空冷用に使用される軸流型の送風機に関するものである。
【背景技術】
【０００２】
従来、この種の送風機は、ケーシング内の通風路中にモータの駆動により回転する羽根車を設けており、例えば特許文献１、特許文献２等で知られている。
【０００３】
特許文献１に記載の送風機は、駆動モータと外部電源を接続する手段として、ケーシングの一面に形成されたリード溝内にリード線を配置するとともに、該リード線の一端側をケーシング内で駆動モータに接続するとともに、他端側をケーシングの外側に導出させ、その導出されたリード線の先端部に外部電源と接続されるコネクタを取り付けている。この構造では、ケーシングの外側にリード線及びコネクタが露出されており、しかもリード線及びコネクタが自由に動き得る状態となっている。
【０００４】
一方、特許文献２に記載の送風機は、駆動モータと外部電源を接続する手段として、同じくケーシングの一面に形成されたリード溝内にリード線を配置するとともに、該リード線の一端側をケーシング内で駆動モータに接続するとともに、他端側を接続させた端子ブロックをケーシングの外部に臨む凹所内に取り付け、その端子ブロックを介して駆動モータが外部電源と接続される構造になっている。この構造でも、ケーシングの外側にリード線とコネクタが露出し、また該リード線は外部から触れて自由に動かすことができるようになっている。
【先行技術文献】
【特許文献】
【０００５】
【特許文献１】実開平５−６１４９５号公報。
【特許文献２】特許第２７５１７１４号公報。
【発明の概要】
【発明が解決しようとする課題】
【０００６】
上述したように、特許文献１及び特許文献２に記載の送風機は、駆動モータ部から引き出されたリード線がケーシングの外部に露出し、外側から自由に触れることができる。このため、リード線が誤って引っ張られると断線する虞があるという問題点があった。
【０００７】
そこで、本発明は上記問題点に鑑みなされたものであり、リード線が外力により誤って引っ張られて断線するのを防ぐことができる送風機を提供することを目的とする。
【課題を解決するための手段】
【０００８】
本発明は上記目的を達成するために提案されたものであり、モータの回転軸と共に回転する羽根車をケーシング内の通風路中に配設してなる送風機において、前記ケーシングの外周側面に形成した端子ブロック収納用凹部と、前記モータに通じるリード線の先端に接続した端子と、前記端子を収容して前記端子ブロック収納用凹部内に配設した端子ブロックと、前記リード線と前記端子を外側から覆って前記端子ブロックと共に前記ケーシングに固定した端子カバーと、を備え、前記端子カバーと前記端子ブロックは、該端子カバーと該端子ブロックを貫通して前記ケーシングに取り付けられる取付ねじで固定してなる構成とした。
【０００９】
この構成によれば、前記リード線と端子の接続部は、外側から端子カバーで覆われているので、外力により、リード線が誤って引っ張られて断線するのを防ぐことができる。また、端子カバーと端子ブロックは、取付ねじを使用して、ケーシングに同時に取り付けることができるので、組立作業の簡略化が図れる。
【００１２】
また、前記端子は抜け止め用突起を有し、前記端子ブロックは該端子が前記リード線側へ引かれたときに該端子の抜け止め用突出部が突き当たって引き抜きを阻止する規制壁を設けてなる構成が好ましい。
【００１３】
この構成によれば、リード線を介して端子が誤ってリード線側に引っ張られたとき、あるいは端子が外力によりリード線側に押されたとき、端子の抜け止め用突出部が規制壁に突き当たり、抜け止めされる。
【００１４】
また、前記端子の前記リード線との接続部は前記端子ブロックの外側に設けられているとともに、該端子ブロックに前記接続部の一面に添接して該接続部の移動を規制する支持部を設けてなる構成が好ましい。
【００１５】
この構成によれば、リード線に大きな外力が加わり、接続部が一面側に押されるとき、その移動を支持部が受け、該接続部とリード線の間で断線が起きるのを防止する。
【００１６】
また、前記リード線と前記端子の接続部は前記端子ブロックの外側に設けられているとともに、該端子ブロックに前記接続部の三面に添接して該接続部の移動を三方向から規制する断面コ字状をした支持部を設けてなる構成が好ましい。
【００１７】
上記構成において、リード線に大きな外力が加わり、接続部が三方向と対向する中の、何れかの方向から押されると、その接続部が移動する力を支持部が受けて、その移動力を阻止し、該接続部とリード線の間で断線が起きるのを防止する。
【発明の効果】
【００１８】
本発明によれば、リード線と端子の接続部を外側から端子カバーで覆い、リード線が誤って引っ張られて断線するのを防ぐことができるので、製品の信頼性が向上する。
【図面の簡単な説明】
【００１９】
【図１】本発明の実施形態に係る送風機を吐き出し口側から見た平面図である。
【図２】同上送風機の側面図である。
【図３】同上送風機の端子接続部分における一実施例を説明する図。
【図４】同上端子接続部分において端子と端子ブロックの構造とその組立作業手順を説明する平面図で、(ａ)は組立前の図、(ｂ)は組立後の図である。
【図５】同上端子接続部分において端子と端子ブロックの構造とその組立作業を説明する縦断面図で、(ａ)は組立前の図、(ｂ)は組立後の図である。
【図６】同上端子接続部分において端子カバーと端子ブロックの構造とその組立作業手順を説明する図で、(ａ)はその平面図、(ｂ)は縦断面図である。
【図７】同上送風機における端子接続部分の一変形例を示し、その同上接続部分での端子と端子ブロックの構造を説明する平面図で、(ａ)は組立前の図、(ｂ)は組立後の図である。
【図８】同上一変形例の端子接続部分において端子と端子ブロックの構造を説明する縦断面図で、(ａ)は組立前の図、(ｂ)は組立後の図である。
【図９】同上一変形例の端子接続部分において端子カバーと端子ブロックの構造を説明する縦断面図で、(ａ)は組立前の図、(ｂ)は組立後の図である。
【図１０】図９(ｂ)のＡ−Ａ拡大断面図である。
【図１１】同上一変形例の接続部分を更に変形した構造を説明する縦断面図である。
【図１２】図１１のＢ−Ｂ拡大断面図である。
【発明を実施するための最良の形態】
【００２０】
以下、添付図面を参照して、本発明を実施するための形態(以下、「実施形態」という)について詳細に説明する。
【００２１】
図１は本発明の一実施例に係る送風機を吐き出し口側から見た平面図で、図２はその送風機の側面図である。
【００２２】
図１及び図２において、送風機１０は軸流型の送風機であり、概略扁平四角型の箱状体をしたケーシング１１を備えている。ケーシング１１の中央部分には、円筒状の通風路１２が設けられており、また、そのケーシング１１内の通風路１２中にはモータ(図示せず)の駆動により回転される羽根車(プロペラファン)１３が配設されている。
【００２３】
図１に示す前記ケーシング１１の４つの角部の中、１つの角部１１ａの外周側面には、図２に示すようにケーシング１１の外部に臨む端子ブロック収納用凹部１４が形成されている。その端子ブロック収納用凹部１４内には、端子ブロック１５と端子カバー１６がケーシング１１に一本の取付ねじ１７で固定して取り付けられている。
【００２４】
前記端子ブロック１５は、一端を前記駆動モータに電気的に接続しているリード線１８の引出他端に取り付けられた端子１９を収容して保持し、該端子１９の導出プラグ部１９ｄを図示しない外部電源側コネクタの端子と電気接続させるものである。
【００２５】
図３〜図６は、その角部１１ａにおける端子接続部の構造を詳細に示すものである。次に、その端子接続部の構造を図３〜図６を用いて説明する。
【００２６】
まず、前記ケーシング１１の前記端子ブロック収納用凹部１４の底面（ケーシング１１の側面）には、図３(ａ)に示すように取付孔２０が形成されている。
【００２７】
前記端子ブロック１５は、樹脂成形品であり、端子ブロック収納用凹部１４内に収容可能な大きさで形成されている。また、その端子ブロック１５には、ケーシング１１の取付孔２０と対応して、上下に貫通してなる取付孔２１が形成されている。さらに、端子ブロック１５の上面には、図３〜図５に示すように１対の端子１９を上方から落とし込むようにして差し込んで取り付ける溝状の位置決め凹所２２が設けられているとともに、位置決め凹所２２と隣接して平面視概略三角形をした係止凹部２３を画成してなる規制壁２４が形成されている。
【００２８】
前記端子ブロック１５に取り付けられる端子１９は、導電性金属板材をプレス加工して形成されるものであり、基端側にリード線１８の先端を加締め加工等により接続してなる接続部１９ａを有し、中間部にはその一部を外側に切り起こして形成された爪状の抜け止め用突起１９ｂを有している。なお、抜け止め用突起１９ｂの切り起こし先端は、図４に示すように接続部１９ａ側に向かって突出している。また、端子１９の基端側には、端子ブロック１５の位置決め凹所２２内に差し込んで、端子１９を端子ブロック１５に対して位置決めするための突起部１９ｃが形成されている。
【００２９】
このように構成された端子１９は、１対用意される。そして、突起部１９ｃを位置決め凹所２２内に差し込んで位置決めするようにして、各端子１９をそれぞれ端子ブロック１５上に配置すると、抜け止め用突起１９ｂも係止凹所２３内に係合され、各端子１９が端子ブロック１５の所定の位置に各々配置される。
【００３０】
そして、このようにして端子ブロック１５に位置決め配置された各端子１９は、図３，図４及び図５に示すように、導出プラグ部１９ｄが端子ブロック１５の外側に突出された状態で配置される。なお、このようにして端子ブロック１５に配置された各端子１９は、例えリード線１８に外力が加えられ、各端子１９がリード線１８側に引かれたとしても、あるいは端子先端部に外力が加えられて導出プラグ部１９ｄが端子ブロック１５側に押されたとしても、各端子１９の抜け止め用突起１９ｂが規制壁２４の内面に突き当たって引き抜きを阻止できる状態にある。また、逆に各端子１９が端子先端側に引かれたとしても、端子１９の突起部１９ｃが位置決め凹所２２の側面に突き当たって引き抜きを阻止できる。
【００３１】
前記端子カバー１６は、樹脂成形品であり、端子ブロック収納用凹部１４内に収容可能で、また図６に示すように、各端子１９の導出プラグ部１９ｄを除いた他の部分とリード線１８の一部を覆って端子ブロック１５上に密着配置可能な大きさ及び形状にして、断面略くの字状にして形成されている。また、端子カバー１６には、ケーシング１１の取付孔２０と対応して、上下に貫通してなる取付孔２５が形成されている。
【００３２】
そして、このように構成された接続部分を組み立てる場合は、次の手順で行われる。まず、図３(ａ)に示すように、端子ブロック１５を用意した後、図３(ｂ)に示すように端子ブロック収納用凹部１４内の所定の位置に端子ブロック１５を配置する。次いで、図３(ｃ)及び図４，図５に示すようにリード線１８の先端部に接続部１９ａを加締めて取り付けた端子１９を、前述したようにして端子ブロック１５の所定の位置に組み付ける。その後、図３(ｄ)及び図６に示すように端子カバー１６を端子ブロック１５上に配置するとともに、取付ねじ１７を、端子カバー１６の上側から取付孔２５、取付孔２１を順に通って取付孔２０に螺合して締め付ける。これにより、ケーシング１１の端子ブロック収納用凹部１４内に、取付ねじ一本だけで端子ブロック１５と端子カバー１６と端子１９が同時に固定して取り付けられるので組立作業が容易に行える。
【００３３】
この取付状態では、リード線１８と端子１９の接続部１９ａは、図６に示すように外側から端子カバー１６で覆われて隠される。また、リード線１８は端子ブロック収納用凹部１４の内側へ導かれた状態で保持され、図２で示すように、ケーシングの側面に露出する部分がないので、外側からリード線１８に障害物等が誤って触れて引っ張られるのを完全に防ぐことができる。さらに、端子カバー１６は回転軸方向から見たケーシングの投影面積の外側に出ないように断面略くの字状に形成されているので、送風機のサイズが大きくなるのを防いでいる。
【００３４】
図７〜図１０は、送風機１０の角部１１ａにおける接続部の一変形例を示すものである。この変形例は、図９のＡ−Ａ拡大断面として示す図１０からも明かのように、端子１９における接続部１９ａの左右両側面に各々添接される支持壁部２６を、端子ブロック１５の底面１５ａから上方に向かって立壁状にして設けたものであり、他の構成は図３〜図６と同一であるから、同一の構成部分は同一を付して重複説明を省略する。
【００３５】
この構造では、前記支持壁部２６は、リード線１８に接続された端子１９を端子ブロック１５上に配置する際における取り付けガイドの機能も有する。また、リード線１８と端子１９が配置された後は、リード線１８が左右方向に振れたとき、そのリード線１８と接続部１９ａがそれぞれ支持壁部２６に支持されるようにしてその振れを抑え、断線等を防止するようにしたものである。
【００３６】
図１１及び図１２は、送風機１０の角部１１ａにおける接続部の構造を更に変形した一例を示すものである。この変形例は、端子１９における接続部１９ａの左右両側面に各々添接される前記支持壁部２６に加えて、接続部１９ａの底面に添接される突起部２７を端子ブロック１５の底面１５ａと一体に形成し、接続部１９ａを左右及び下面の三方向より支える断面コ字状をしてなる支持部２８を設けたものであり、他の構成は図３〜図６及び図７〜図１０と同一であるから、同一の構成部分は同一を付して重複説明を省略する。
【００３７】
この変形例の構造では、リード線１８が左右及び下方向(送風機内側方向)に振れて移動しようとしたとき、そのリード線１８と接続部１９ａがそれぞれ支持壁部２６及び突起部２７とに支持されるのでその振れを抑え、断線等を防止することができる。
【００３８】
なお、本発明は上記実施形態に限定されるものではなく、本発明の目的を達成できる範囲での変形、改良などは本発明に及ぶことは当然である。
【符号の説明】
【００３９】
１０      送風機
１１      ケーシング
１３      羽根車
１４      端子ブロック収納用凹部
１５      端子ブロック
１５ａ    底面
１６      端子カバー
１７      取付ねじ
１８      リード線
１９      端子
１９ａ    接続部
１９ｂ    抜け止め用突起
１９ｃ    突起部
１９ｄ    導出プラグ部
２０      取付孔
２１      取付孔
２２      位置決め凹所
２３      係止凹所
２４      規制壁
２５      取付孔
２６      支持壁部
２７      突起部
２８      支持部
【図１】
0005893862.tif 000002
【図２】
0005893862.tif 000003
【図３】
0005893862.tif 000004
【図４】
0005893862.tif 000005
【図５】
0005893862.tif 000006
【図６】
0005893862.tif 000007
【図７】
0005893862.tif 000008
【図８】
0005893862.tif 000009
【図９】
0005893862.tif 000010
【図１０】
0005893862.tif 000011
【図１１】
0005893862.tif 000012
【図１２】
0005893862.tif 000013